(57)【要約】【課題】ＧＰＳ受信異常時において、短時間かつ低コストに、同期制御に係るタイミングの誤差を許容規格値内に収める技術を提供する。【解決手段】基地局制御装置（センター局）１０は、ＧＰＳ同期信号を受信するＧＰＳ受信機能を具備し、ＧＰＳ同期信号に基づいて基準タイミングを生成する複数の主導基地局と、所定の主導基地局に従属し、従属先の主導基地局が生成した基準タイミングに基づいて基準タイミングを生成する複数の従属基地局とを制御する基地局制御装置であって、ＧＰＳ同期信号を正常に受信できない旨の通知を主導基地局から受信する受信部（送受信部）１４と、一の主導基地局から通知を受信した場合に、当該主導基地局、および、当該主導基地局を従属先とする従属基地局の少なくとも１つに対し、当該主導基地局と異なる他の主導基地局が生成した基準タイミングに基づいて基準タイミングを生成させるよう制御する制御部１６とを備える。【選択図】図１
2011182226.tif 000002
【特許請求の範囲】
【請求項１】
ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局が生成した基準タイミングに基づいて基準タイミングを生成する複数の従属基地局とを制御する基地局制御装置であって、
前記ＧＰＳ同期信号を正常に受信できない旨の通知を主導基地局から受信する受信部と、
前記受信部によって一の主導基地局から前記通知を受信した場合に、当該主導基地局、および、当該主導基地局を従属先とする従属基地局の少なくとも１つに対し、当該主導基地局と異なる他の主導基地局が生成した基準タイミングに基づいて基準タイミングを生成させるよう制御する制御部と
を備えることを特徴とする基地局制御装置。  
【請求項２】
ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局から送信されるタイミング信号に基づいて基準タイミングを生成する複数の従属基地局とを制御する基地局制御装置であって、
複数の主導基地局および従属基地局の接続構成を示す情報、ならびに、複数の主導基地局および従属基地局の従属関係を示す情報を記憶する記憶部と、
前記ＧＰＳ同期信号を正常に受信できない旨の通知を主導基地局から受信する受信部と、
前記受信部によって一の主導基地局から前記通知を受信した場合に、前記記憶部を参照して、当該主導基地局を従属先とする従属基地局に対し、当該主導基地局に代えて他の主導基地局から送信されるタイミング信号に基づいて基準タイミングを生成させるよう制御する制御部と
を備えることを特徴とする基地局制御装置。  
【請求項３】
前記制御部は、
前記受信部によって一の主導基地局から前記通知を受信した場合に、前記記憶部を参照して、当該主導基地局に対し、前記ＧＰＳ同期信号に代えて従属基地局から送信されるタイミング信号と所定の補正値とに基づいて基準タイミングを生成させるよう制御する
ことを特徴とする請求項１に記載の基地局制御装置。
【請求項４】
ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局から送信されるタイミング信号に基づいて基準タイミングを生成する複数の従属基地局とを制御する基地局制御装置であって、
複数の主導基地局および従属基地局の接続構成を示す情報、ならびに、複数の主導基地局および従属基地局の従属関係を示す情報を記憶する記憶部と、
前記ＧＰＳ同期信号を正常に受信できない旨の通知を主導基地局から受信する受信部と、
前記受信部によって一の主導基地局から前記通知を受信した場合に、前記記憶部を参照して、当該主導基地局に対し、前記ＧＰＳ同期信号に代えて従属基地局から送信されるタイミング信号と所定の補正値とに基づいて基準タイミングを生成させるよう制御する制御部と
を備えることを特徴とする基地局制御装置。  
【請求項５】
ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局から送信されるタイミング信号に基づいて基準タイミングを生成する複数の従属基地局とを制御する基地局制御装置であって、
複数の主導基地局および従属基地局の接続構成を示す情報、前記タイミング信号の送信方向を示す情報、ならびに、複数の主導基地局および従属基地局の従属関係を示す情報を記憶する記憶部と、
前記ＧＰＳ同期信号を正常に受信できない旨の通知を主導基地局から受信する受信部と、
前記受信部によって隣接する２つの主導基地局から前記通知を受信した場合に、前記記憶部を参照して、
当該２つの主導基地局のうち前記送信方向とは逆方向側に存在する第１の主導基地局に対し、前記ＧＰＳ同期信号に代えて、当該第１の主導基地局の前記逆方向側に隣接して存在する従属基地局から送信されるタイミング信号と所定の補正値とに基づいて基準タイミングを生成させるよう制御し、
当該２つの主導基地局のうち前記送信方向側に存在する第２の主導基地局に従属する従属基地局に対し、当該第２の主導基地局に代えて、更に前記送信方向側に存在する主導基地局から送信されるタイミング信号に基づいて基準タイミングを生成させるように制御し、
当該第２の主導基地局に対し、前記ＧＰＳ同期信号に代えて、当該第２の主導基地局の前記送信方向側に隣接して存在する従属基地局から送信されるタイミング信号と所定の補正値とに基づいて基準タイミングを生成させるように制御する制御部と
を備えることを特徴とする基地局制御装置。  
【請求項６】
ＧＰＳ衛星から送信されるＧＰＳ同期信号に基づいて基準タイミングを生成する基準タイミング生成部と、
前記ＧＰＳ同期信号の受信状況の異常を検出する異常検出部と
を備え、
前記基準タイミング生成部は、
前記検出部によって受信状況の異常を検出した場合に、他の基地局が生成した基準タイミングに基づいて基準タイミングを生成する
ことを特徴とする基地局。
【請求項７】
ＧＰＳ衛星から送信されるＧＰＳ同期信号に基づいて基準タイミングを生成する所定の基地局において生成された基準タイミングに基づいて基準タイミングを生成するとともに、前記所定の基地局が前記ＧＰＳ同期信号を正常に受信できなくなった場合に、前記所定の基地局と異なる他の基地局において生成された基準タイミングに基づいて基準タイミングを生成することと特徴とする基地局。
【発明の詳細な説明】
【技術分野】
【０００１】
本発明は、基地局制御装置および基地局に関する。
【背景技術】
【０００２】
各基地局は、無線通信を行う上で、システム内の他の基地局と同期を確立する必要がある。例えば、基地局間で同期を確立する手法として、基地局にＧＰＳ(Global Positioning System)受信機を搭載（実装）し、ＧＰＳ衛星から送信される世界標準時に同期した１秒パルス（ＧＰＳ同期信号または基準信号とも称する）に基づいて、基地局間で同期を確立する手法が知られている。
【０００３】
一般に、ＧＰＳ受信機を搭載する基地局（ＧＰＳ基地局または主導基地局とも称する）は、システム内の全部の基地局ではなくシステム内の一部の基地局である。ＧＰＳ基地局は、システム内に離散的に存在し、直接、ＧＰＳ衛星からＧＰＳ同期信号を受信し、ＧＰＳ同期信号に基づいて基準タイミングを生成する。
【０００４】
ＧＰＳを搭載していない基地局（従属基地局とも称する）は、ＧＰＳ基地局が生成した基準タイミングに基づいて基準タイミングを生成する。即ち、従属基地局は、ＧＰＳ衛星からＧＰＳ同期信号（基準信号）を受信できないため、ＧＰＳ基地局から送信されるタイミング信号（またはＧＰＳ基地局から送信されたタイミング信号を受信した他の従属基地局から転送されたタイミング信号）を受信し、当該タイミング信号に基づいて基準タイミングを生成する。これにより、システム全体の同期が確立する（例えば、特許文献１参照）。
【０００５】
図１１は、基地局間の接続方法を説明するための説明図である。図１１に示すように、システム内の各基地局（ＢＳ）は、無線制御部（ＲＥＣ：Ｒａｄｉｏ  Ｅｑｕｉｐｍｅｎｔ  Ｃｏｎｔｒｏｌ）と無線部（ＲＥ：Ｒａｄｉｏ  Ｅｑｕｉｐｍｅｎｔ）とを備える。各ＢＳにおいて、ＲＥＣとＲＥは、通信プロトコルインタフェース（ＣＰＲＩ：Ｃｏｍｍｏｎ  Ｐｕｂｌｉｃ  Ｒａｄｉｏ  Ｉｎｔｅｒｆａｃｅなど）によって接続されている。また、基地局間は、上記接続（ＲＥＣ−ＲＥ接続）と同様な通信方式によって接続されている。
【０００６】
なお、図１１において、ＢＳ（１）およびＢＳ（ｎ）は、ＧＰＳ基地局である。また、ＢＳ（２）〜ＢＳ（ｎ−１）は、ＧＰＳ基地局であるＢＳ（１）が生成した基準タイミングに基づいて自局の基準タイミングを生成する従属基地局である。つまり、ＢＳ（２）〜ＢＳ（ｎ−１）は、ＢＳ（１）を従属先とする従属基地局である。また、ＢＳ（ｎ＋１）〜ＢＳ（２ｎ−１）は、ＧＰＳ基地局であるＢＳ（ｎ）が生成した基準タイミングに基づいて自局の基準タイミングを生成する従属基地局である。
【０００７】
また、各従属基地局は、従属先のＧＰＳ基地局から送信されたタイミング信号（または従属先のＧＰＳ基地局から送信されたタイミング信号を受信した他の従属基地局から転送されたタイミング信号）を受信するが、図１１において、タイミング信号は、ＢＳ（１）から、ＢＳ（２）、…、ＢＳ（ｎ−１）と送信（または転送）され、ＢＳ（ｎ）から、ＢＳ（ｎ＋１）、…、ＢＳ（２ｎ−１）と送信（または転送）される。
【０００８】
ＧＰＳ基地局であるＢＳ（１）は、ＧＰＳ衛星からＧＰＳ同期信号を受信し、ＧＰＳ同期信号に同期した基準タイミングを生成する。同様に、ＧＰＳ基地局であるＢＳ（ｎ）は、ＧＰＳ衛星からＧＰＳ同期信号を受信し、ＧＰＳ同期信号に同期した基準タイミングを生成する。ＢＳ（１）およびＢＳ（ｎ）が受信するＧＰＳ同期信号のタイミングは、当然に、一致するため、ＢＳ（１）が生成する基準タイミングとＢＳ（ｎ）が生成する基準タイミングは一致し、ＢＳ（１）とＢＳ（ｎ）との同期が確立する。
【０００９】
従属基地局であるＢＳ（２）〜ＢＳ（ｎ−１）は、従属先の主導基地局であるＢＳ（１）が生成した基準タイミングに基づいて基準タイミングを生成する。即ち、ＢＳ（２）は、ＢＳ（１）から送信されるタイミング信号を受信し、当該タイミング信号に同期した基準タイミングを生成するとともに、当該タイミング信号をＢＳ（３）に転送する。ＢＳ（３）は、ＢＳ（２）から送信されるタイミング信号を受信し、当該タイミング信号に同期した基準タイミングを生成するとともに、当該タイミング信号をＢＳ（４）に転送する。以下、同様の処理をＢＳ（ｎ−１）まで行う。これにより、ＢＳ（１）〜ＢＳ（ｎ−１）の同期が確立する。同様に、従属基地局であるＢＳ（ｎ＋１）〜ＢＳ（２ｎ−１）は、従属先の主導基地局であるＢＳ（ｎ）が生成した基準タイミングに基づいて基準タイミングを生成する。これにより、ＢＳ（ｎ）〜ＢＳ（２ｎ−１）の同期が確立する。
【００１０】
なお、各基地局（ＧＰＳ基地局および従属基地局）は、各基地局を識別するための識別情報（ＩＤ番号）を有する。ＧＰＳ基地局は、自局のＩＤ番号、および、自局に従属する従属基地局のＩＤ番号を記録する。従属基地局は、自局のＩＤ番号、および、従属先のＧＰＳ基地局のＩＤ番号を記憶する。また、各基地局（ＧＰＳ基地局および従属基地局）は、基地局（ＧＰＳ基地局および従属基地局）を統括（制御）するセンター局（図１１において非図示、基地局制御装置とも称する）に、各基地局が記憶している上記ＩＤ番号を通知する。また、ＧＰＳ基地局は、センター局に、自局がＧＰＳ基地局である旨を通知する。
【００１１】
図１２、図１３は、基地局間接続の構成例である。なお、図１２において、タイミング信号は、ＢＳ（１）から、ＢＳ（２）、…、ＢＳ（３ｎ−１）、ＢＳ（３ｎ）と順番に送信（または転送）される。
【００１２】
ＧＰＳ基地局から従属基地局にタイミング信号を送信し、同期を確立する構成の場合、各基地局が生成する基準タイミングに誤差（同期ずれ）が生じる。ＧＰＳ基地局が生成する基準タイミングを基準とする従属基地局が生成する基準タイミングの誤差は、タイミング信号の送信（転送）回数に応じて累積するため、タイミング信号の送信方向（下流方向）側にＧＰＳ基地局からより離れて存在する従属基地局であればあるほど、生成する基準タイミングに生じる誤差は大きくなる。従って、図１２に示すように、あるＧＰＳ基地局（ＢＳ（１）に多数の従属基地局（ＢＳ（２）〜ＢＳ（３ｎ））が従属する構成の場合、タイミング信号の送信方向（下流方向）側に存在する幾つかの従属基地局が生成する基準タイミングの誤差が、あるいは、別の言い方をすれば基準タイミングが、許容規格値（許容範囲）外になる恐れがある。
【００１３】
これに対処するため、システム内にＧＰＳ基地局をより多く設置するという方策が考えられる。ＧＰＳ基地局の設置条件は、以下のように算出する。例えば、図１２の構成において、従属基地局であるＢＳ（ｎ）が生成する基準タイミングが、ＧＰＳ同期信号（ＧＰＳ１）を受信するＢＳ（１）の基準タイミングに対して、タイミング信号の送信方向（下流方向）において最初に許容規格値外になるとき（つまり、ＢＳ（ｎ）〜ＢＳ（３ｎ）が生成する基準タイミングが許容規格値外になるとき）、図１３に示すように、ＢＳ（ｎ）にＧＰＳ受信機を設置してＢＳ（ｎ）をＧＰＳ基地局にする。換言すれば、ＢＳ（１）に隣接するＢＳ（２）からＢＳ（１）の基準タイミングに対して許容規格値内のぎりぎりの基準タイミングを生成するＢＳ（ｎ−１）までの各従属基地局を、ＢＳ（１）を従属先とする従属基地局のまま維持し、ＢＳ（ｎ）は、従属基地局からＧＰＳ基地局とする。
【００１４】
これにより、まず、ＢＳ（１）〜ＢＳ（ｎ）の生成する基準タイミングは、何れも許容規格値内になる。また、従属基地局であるＢＳ（２ｎ）が生成する基準タイミングが、ＧＰＳ同期信号（ＧＰＳ２）を受信するＢＳ（ｎ）の基準タイミングに対して、タイミング信号の送信方向（下流方向）において最初に許容規格値外になるとき、ＢＳ（ｎ＋１）〜ＢＳ（２ｎ−１）の生成する基準タイミングも、何れも許容規格値内になる。即ち、ＢＳ（ｎ）を従属基地局からＧＰＳ基地局に変更することによって、ＢＳ（１）〜ＢＳ（２ｎ−１）の生成する基準タイミングは、何れも許容規格値内になる。
【００１５】
同様に、図１３に示すように、ＢＳ（２ｎ）にＧＰＳ受信機を設置してＢＳ（２ｎ）をＧＰＳ基地局にする。従属基地局であるＢＳ（３ｎ）が生成する基準タイミングが、ＧＰＳ同期信号（ＧＰＳ３）を受信するＢＳ（２ｎ）の基準タイミングに対して、タイミング信号の送信方向（下流方向）において最初に許容規格値外になるとき、ＢＳ（２ｎ＋１）〜ＢＳ（３ｎ−１）の生成する基準タイミングは、何れも許容規格値内になる。即ち、ＢＳ（２ｎ）を従属基地局からＧＰＳ基地局に変更することによって、ＢＳ（２ｎ）〜ＢＳ（３ｎ−１）の生成する基準タイミングは、何れも許容規格値内になる。なお、図１３に示す例では、ＢＳ（ｎ）およびＢＳ（２ｎ）に加えてＢＳ（３ｎ）もＧＰＳ基地局に変更しているため、全ての基地局（ＢＳ（１）〜ＢＳ（３ｎ）の生成する基準タイミングは、何れも許容規格値内になる。
【先行技術文献】
【特許文献】
【００１６】
【特許文献１】特開平０８−１６３６２４号公報
【発明の概要】
【発明が解決しようとする課題】
【００１７】
しかしながら、ＧＰＳ受信機の故障または周辺の環境変化などによって、あるＧＰＳ基地局がＧＰＳ衛星からＧＰＳ同期信号を正常に受信できなくなった場合、当該ＧＰＳ基地局が生成する基準タイミングの誤差、および、当該ＧＰＳ基地局が生成した基準タイミングに基づいて自局の基準タイミングを生成する従属基地局（当該ＧＰＳ基地局を従属先とする従属基地局）が生成する基準タイミングの誤差が、許容規格値外になる恐れがあるという問題がある。
【００１８】
図１４は、ＧＰＳの受信異常時の基地局間接続の構成例である。図１５は、ＧＰＳの受信正常時の基準タイミングの一例である。図１６は、ＧＰＳの受信異常時の基準タイミングの一例である。以下、図１４に示すように、ＧＰＳ基地局であるＢＳ（ｎ）において、ＧＰＳ同期信号（ＧＰＳ２）を受信できなくなった例を用いて説明する。なお、図１５（他の図も同様）において、Ｔｅ（ｘ）は、ＢＳ（ｘ）において生成される基準タイミングの誤差である。また、Ｔｔ／２は、許容規格値である。なお、各基地局において基準タイミングは、累積誤差が最大である場合（実際の累積誤差量は不明）を想定したものである。
【００１９】
ＢＳ（１）が正常にＧＰＳ同期信号（ＧＰＳ１）を受信し、かつ、ＢＳ（ｎ）が正常にＧＰＳ同期信号（ＧＰＳ２）を受信している間は、ＧＰＳ基地局であるＢＳ（１）およびＢＳ（ｎ）は、ＧＰＳ同期信号に基づいて基準タイミングを生成し、従属基地局であるＢＳ（２）〜ＢＳ（ｎ−１）は、従属先であるＢＳ（１）が生成した基準タイミングに基づいて基準タイミングを生成し、従属基地局であるＢＳ（ｎ＋１）〜ＢＳ（２ｎ−１）は、従属先であるＢＳ（ｎ）が生成した基準タイミングに基づいて基準タイミングを生成する。
【００２０】
ＢＳ（１）を従属先とするＢＳ（２）〜ＢＳ（ｎ−１）のうちタイミング信号の送信方向（下流方向）の最下流にあたるＢＳ（ｎ−１）が生成する基準タイミングは、図１５に示すように、許容規格値内にぎりぎり収まるタイミングである。同様に、ＢＳ（ｎ）を従属先とするＢＳ（ｎ＋１）〜ＢＳ（２ｎ−１）のうちタイミング信号の送信方向（下流方向）の最下流にあたるＢＳ（２ｎ−１）が生成する基準タイミングは、許容規格値内にぎりぎり収まるタイミングである。以上のように、ＢＳ（１）が正常にＧＰＳ同期信号（ＧＰＳ１）を受信し、かつ、ＢＳ（ｎ）が正常にＧＰＳ同期信号（ＧＰＳ２）を受信している間は、図１４に示す全ての基地局（ＢＳ（１）〜ＢＳ（２ｎ））が生成する基準タイミングは、図１５に示すように、許容規格値内に収まる。
【００２１】
一方、図１４に示すように、ＧＰＳ基地局であるＢＳ（ｎ）がＧＰＳ同期信号（ＧＰＳ２）を正常に受信できなくなった場合、図１６に示すように、基地局（ＢＳ（ｎ）〜ＢＳ（２ｎ−１））が生成する基準タイミングは、許容規格値外となる。
【００２２】
即ち、ＢＳ（ｎ）はＧＰＳ衛星からＧＰＳ同期信号を受信できないため、タイミング信号の送信方向とは逆方向（上流方向）に隣接するＢＳ（ｎ−１）からタイミング信号を受信し、当該タイミング信号に基づいて基準タイミングを生成する。ところが、上述の如く、ＢＳ（ｎ−１）が生成する基準タイミングは、許容規格値内のぎりぎりのタイミングであるため、ＢＳ（ｎ）が生成する基準タイミングは、許容規格値外となる。また、ＢＳ（ｎ）を従属先とするＢＳ（ｎ＋１）〜ＢＳ（２ｎ−１）が生成する基準タイミングも、許容規格値外となる。よって、ＢＳ（ｎ）がＧＰＳ同期信号（ＧＰＳ２）を正常に受信できなくなった場合、図１６に示すように、ＢＳ（ｎ）〜ＢＳ（２ｎ−１）が生成する基準タイミングは、許容規格値外となる。
【００２３】
以上のように、ＧＰＳを用いて同期を確立する手法は、ＧＰＳ同期信号を正常に受信できなくなったＧＰＳ基地局が生成する基準タイミング、および、当該ＧＰＳ基地局を従属先とする従属基地局が生成する基準タイミングが許容規格値外になる恐れがある。そして、ＧＰＳ同期信号を正常に受信するための復旧作業中（例えば、基地局の修理または移設などの作業時間）、上記各基地局が生成する基準タイミングが、許容規格値外のままとなるという問題がある。また、上記復旧作業自体のコストも少なくないという問題がある。
【００２４】
本発明は、上述した事情に鑑みてなされたものであり、ＧＰＳ受信異常時において、短時間かつ低コストに、同期制御に係るタイミングの誤差を許容規格値内に収める技術を提供することを目的とする。
【課題を解決するための手段】
【００２５】
上記目的を達成するために、本発明の一態様に係る基地局制御装置は、ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局が生成した基準タイミングに基づいて基準タイミングを生成する複数の従属基地局とを制御する基地局制御装置であって、前記ＧＰＳ同期信号を正常に受信できない旨の通知を主導基地局から受信する受信部と、前記受信部によって一の主導基地局から前記通知を受信した場合に、当該主導基地局、および、当該主導基地局を従属先とする従属基地局の少なくとも１つに対し、当該主導基地局と異なる他の主導基地局が生成した基準タイミングに基づいて基準タイミングを生成させるよう制御する制御部とを備える。
【００２６】
上記目的を達成するために、本発明の他の態様に係る基地局制御装置は、ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局から送信されるタイミング信号に基づいて基準タイミングを生成する複数の従属基地局とを制御する基地局制御装置であって、複数の主導基地局および従属基地局の接続構成を示す情報、ならびに、複数の主導基地局および従属基地局の従属関係を示す情報を記憶する記憶部と、前記ＧＰＳ同期信号を正常に受信できない旨の通知を主導基地局から受信する受信部と、前記受信部によって一の主導基地局から前記通知を受信した場合に、前記記憶部を参照して、当該主導基地局を従属先とする従属基地局に対し、当該主導基地局に代えて他の主導基地局から送信されるタイミング信号に基づいて基準タイミングを生成させるよう制御する制御部とを備える。
【００２７】
上記基地局制御装置において、前記制御部は、前記受信部によって一の主導基地局から前記通知を受信した場合に、前記記憶部を参照して、当該主導基地局に対し、前記ＧＰＳ同期信号に代えて従属基地局から送信されるタイミング信号と所定の補正値とに基づいて基準タイミングを生成させるよう制御するようにしてもよい。
【００２８】
上記目的を達成するために、本発明の他の態様に係る基地局制御装置は、ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局から送信されるタイミング信号に基づいて基準タイミングを生成する複数の従属基地局とを制御する基地局制御装置であって、複数の主導基地局および従属基地局の接続構成を示す情報、ならびに、複数の主導基地局および従属基地局の従属関係を示す情報を記憶する記憶部と、前記ＧＰＳ同期信号を正常に受信できない旨の通知を主導基地局から受信する受信部と、前記受信部によって一の主導基地局から前記通知を受信した場合に、前記記憶部を参照して、当該主導基地局に対し、前記ＧＰＳ同期信号に代えて従属基地局から送信されるタイミング信号と所定の補正値とに基づいて基準タイミングを生成させるよう制御する制御部とを備えることを特徴とする。
【００２９】
上記目的を達成するために、本発明の他の態様に係る基地局制御装置は、ＧＰＳ衛星から送信されるＧＰＳ同期信号を受信するＧＰＳ受信機能を具備し、前記ＧＰＳ同期信号に基づいて基準タイミングを生成する複数の主導基地局と、所定の主導基地局に従属し、従属先の主導基地局から送信されるタイミング信号に基づいて基準タイミングを生成する複数の従属基地局とを制御する基地局制御装置であって、複数の主導基地局および従属基地局の接続構成を示す情報、前記タイミング信号の送信方向を示す情報、ならびに、複数の主導基地局および従属基地局の従属関係を示す情報を記憶する記憶部と、前記ＧＰＳ同期信号を正常に受信できない旨の通知を主導基地局から受信する受信部と、前記受信部によって隣接する２つの主導基地局から前記通知を受信した場合に、前記記憶部を参照して、当該２つの主導基地局のうち前記送信方向とは逆方向側に存在する第１の主導基地局に対し、前記ＧＰＳ同期信号に代えて、当該第１の主導基地局の前記逆方向側に隣接して存在する従属基地局から送信されるタイミング信号と所定の補正値とに基づいて基準タイミングを生成させるよう制御し、当該２つの主導基地局のうち前記送信方向側に存在する第２の主導基地局に従属する従属基地局に対し、当該第２の主導基地局に代えて、更に前記送信方向側に存在する主導基地局から送信されるタイミング信号に基づいて基準タイミングを生成させるように制御し、当該第２の主導基地局に対し、前記ＧＰＳ同期信号に代えて、当該第２の主導基地局の前記送信方向側に隣接して存在する従属基地局から送信されるタイミング信号と所定の補正値とに基づいて基準タイミングを生成させるように制御する制御部とを備えることを特徴とする。
【００３０】
上記目的を達成するために、本発明の他の態様に係る基地局は、ＧＰＳ衛星から送信されるＧＰＳ同期信号に基づいて基準タイミングを生成する基準タイミング生成部と、前記ＧＰＳ同期信号の受信状況の異常を検出する異常検出部とを備え、前記基準タイミング生成部は、前記検出部によって受信状況の異常を検出した場合に、他の基地局が生成した基準タイミングに基づいて基準タイミングを生成することを特徴とする。
【００３１】
上記目的を達成するために、本発明の他の態様に係る基地局は、ＧＰＳ衛星から送信されるＧＰＳ同期信号に基づいて基準タイミングを生成する所定の基地局において生成された基準タイミングに基づいて基準タイミングを生成するとともに、前記所定の基地局が前記ＧＰＳ同期信号を正常に受信できなくなった場合に、前記所定の基地局と異なる他の基地局において生成された基準タイミングに基づいて基準タイミングを生成することを特徴とする。
【発明の効果】
【００３２】
本発明によれば、ＧＰＳ受信異常時において、短時間かつ低コストに、同期制御に係るタイミングの誤差を許容規格値内に収めることができるようになる。
【図面の簡単な説明】
【００３３】
【図１】本発明の第１、第２、第３の実施形態における基地局およびセンター局の概略機能構成例である。
【図２】本発明の第１の実施形態を説明するための基地局間接続の構成例である。
【図３】本発明の第１の実施形態を説明するための基準タイミングの一例である。
【図４】本発明の第２の実施形態を説明するための基地局間接続の構成例である。
【図５】本発明の第２の実施形態を説明するための基準タイミングの一例である。
【図６】ＧＰＳの受信異常時の基地局間接続の構成例である。
【図７】ＧＰＳの受信正常時の基準タイミングの一例である。
【図８】ＧＰＳの受信異常時の基準タイミングの一例である。
【図９】本発明の第３の実施形態を説明するための基地局間接続の構成例である。
【図１０】本発明の第３の実施形態を説明するための基準タイミングの一例である。
【図１１】基地局間の接続方法を説明するための説明図である。
【図１２】基地局間接続の構成例である。
【図１３】基地局間接続の構成例である。
【図１４】ＧＰＳの受信異常時の基地局間接続の構成例である。
【図１５】ＧＰＳの受信正常時の基準タイミングの一例である。
【図１６】ＧＰＳの受信異常時の基準タイミングの一例である。
【発明を実施するための形態】
【００３４】
（第１の実施形態）
以下、本発明の第１の実施形態について、図面を参照しながら説明する。図１は、本発明の第１、第２、第３の実施形態における基地局およびセンター局の概略機能構成例である。図１において、符号１０は、センター局（基地局制御装置）である。なお、図１において、ＧＰＳ基地局および従属基地局は、実際は２以上存在する。
【００３５】
ＧＰＳ基地局は、ＧＰＳ受信機（図１において非図示）、送受信部（ＲＥＣ／ＲＥ）２２、基準タイミング生成部２４および異常検出部２６およびを備える。ＧＰＳ受信機（非図示）は、ＧＰＳ衛星から送信されるＧＰＳ同期信号を受信する。
【００３６】
送受信部２２は、無線または有線によって、種々の情報をセンター局１０および従属基地局に送信する。例えば、送受信部２２は、ＧＰＳ同期信号を正常に受信できない旨の通知をセンター局１０に送信する。また、送受信部２２は、種々の情報をセンター局１０および従属基地局から受信する。例えば、送受信部２２は、基準タイミングの生成に係る制御命令をセンター局１０から受信する。
【００３７】
基準タイミング生成部２４は、ＧＰＳ受信機によって受信されたＧＰＳ同期信号に基づいて基準タイミングを生成する。異常検出部２６は、ＧＰＳ受信機によって受信されたＧＰＳ同期信号の受信状況の異常を検出する。
【００３８】
従属基地局は、従属先のＧＰＳ基地局において生成された基準タイミングに基づいて基準タイミングを生成する。また、従属基地局は、ＧＰＳ基地局がＧＰＳ同期信号を正常に受信できなくなった場合、必要に応じて他のＧＰＳ基地局において生成された基準タイミングに基づいて基準タイミングを生成する。
【００３９】
センター局１０は、ＧＰＳ基地局および従属基地局を制御する。センター局１０は、記憶部１２、送受信部１４および制御部１６を備える。記憶部１２は、種々の情報を記憶する。例えば、記憶部１２は、複数のＧＰＳ基地局および従属基地局の接続構成を示す情報、タイミング信号の送信方向を示す情報、複数のＧＰＳ基地局および従属基地局の従属関係（従属先に係る情報）を示す情報などを記憶する。
【００４０】
送受信部１４は、無線または有線によって、種々の情報をＧＰＳ基地局および従属基地局に送信する。例えば、送受信部１４は、ＧＰＳ同期信号を正常に受信できない旨の通知をＧＰＳ基地局から受信する。また、送受信部１４は、種々の情報をＧＰＳ基地局および従属基地局に送信する。例えば、送受信部１４は、基準タイミングの生成に係る制御命令をＧＰＳ基地局および従属基地局に送信する。
【００４１】
制御部１６は、送受信部１４によって一のＧＰＳ基地局からＧＰＳ同期信号を正常に受信できない旨の通知を受信した場合に、当該ＧＰＳ基地局、および、当該ＧＰＳ基地局を従属先とする１以上の従属基地局に対し、必要に応じて、当該ＧＰＳ基地局と異なる他のＧＰＳ基地局が生成した基準タイミングに基づいて新たな基準タイミングを生成させるよう制御する。即ち、制御部１６は、上記場合に、必要に応じて、他のＧＰＳ基地局が生成した基準タイミングに基づいて基準タイミングを生成させる命令を生成し、当該命令を送信すべく送受信部１４に供給する。
【００４２】
第１の実施形態においては、制御部１６は、送受信部１４によって一のＧＰＳ基地局から上記通知を受信した場合に、当該ＧＰＳ基地局を従属先とする１以上の従属基地局に対し、当該ＧＰＳ基地局に代えて、他のＧＰＳ基地局から送信されるタイミング信号に基づいて基準タイミングを生成させるよう制御する。なお、上述の他のＧＰＳ基地局は、具体的には、上記一のＧＰＳ基地局から見てタイミング信号の送信方向（下流方向）に最初に存在するＧＰＳ基地局である。なお、制御部１６は、記憶部１２を参照して、上述の他のＧＰＳ基地局を特定する。
【００４３】
さらに、第１の実施形態においては、制御部１６は、上記一のＧＰＳ基地局に対し、ＧＰＳ同期信号に代えて、隣接する従属基地局から送信されるタイミング信号と所定の補正値（Ｔｔ／２）とに基づいて基準タイミングを生成させるよう制御する。なお、上述の隣接する従属基地局は、具体的には、上記一のＧＰＳ基地局から見てタイミング信号の送信方向（下流方向）に隣接して存在する従属基地局である。なお、制御部１６は、記憶部１２を参照して、上述の隣接する従属基地局を特定する。
【００４４】
以下、接続構成例を用いて、ＧＰＳ受信異常時において許容規格外になった基地局の基準タイミングを許容規格値内に補正する方法を説明する。図２は、本発明の第１の実施形態を説明するための基地局間接続の構成例である。図３は、本発明の第１の実施形態を説明するための基準タイミングの一例である。
【００４５】
ＧＰＳ基地局（異常検出部２６）は、上述したＧＰＳ基地局の設置条件を満たすよう設置されており、ＧＰＳ同期信号の受信状態を常に監視する。ＧＰＳ基地局（送受信部２２）は、ＧＰＳ同期信号が非同期状態になるなどのＧＰＳ受信異常を検知した場合、通信プロトコルインタフェースの空きチャネルを使用し、センター局に自局のＩＤ番号と共に、受信異常である旨（例えば、非同期状態である旨）を通知する。以下、図２に示す構成においてＢＳ（ｎ）がＧＰＳ受信異常になったものとして説明する。
【００４６】
ＢＳ（ｎ）から受信異常である旨を通知されたセンター局（制御部１６）は、ＧＰＳ基地局の隣接関係においてＢＳ（ｎ）に隣接するＧＰＳ基地局であって、かつ、ＢＳ（ｎ）の受信異常によって非同期になった従属基地局であるＢＳ（ｎ＋１）〜ＢＳ（２ｎ−１）に隣接するＧＰＳ基地局を特定（選別）する。ＢＳ（ｎ）に隣接するＢＳ基地局はＢＳ（１）およびＢＳ（２ｎ）であるが、従属基地局であるＢＳ（ｎ＋１）〜ＢＳ（２ｎ−１）に隣接するＢＳ基地局はＢＳ（２ｎ）である。よって、センター局（制御部１６）は、ＢＳ基地局はＢＳ（２ｎ）を特定する。換言すれば、センター局（制御部１６）は、ＢＳ（ｎ）から見てタイミング信号の送信方向（下流方向）に最初に存在するＧＰＳ基地局であるＢＳ（２ｎ）を特定する。
【００４７】
また、センター局（制御部１６および送受信部１４）は、ＢＳ（ｎ）を従属先としている、非同期になっているＢＳ（ｎ＋１）〜ＢＳ（２ｎ−１）に対して、通信プロトコルインタフェースの空きチャネルを使用し、従属先のＧＰＳ基地局を変更する旨、および、新たな従属先となるＧＰＳ基地局（具体的には、ＢＳ（２ｎ））のＩＤ番号を通知するとともに、基準タイミングを変更すべき旨を命令する。
【００４８】
また、センター局（制御部１６および送受信部１４）は、特定したＢＳ（２ｎ）に対して、通信プロトコルインタフェースの空きチャネルを使用し、新たに従属させる従属基地局（具体的には、ＢＳ（ｎ＋１）〜ＢＳ（２ｎ−１））のＩＤ番号を通知するとともに、新たに従属させる従属基地局へタイミング信号を送信するよう命令する。
【００４９】
ＢＳ（ｎ＋１）〜ＢＳ（２ｎ−１）は、センター局からの上記命令に従って、従属先のＧＰＳ基地局のＩＤを変更する。一方、センター局から命令を受けたＢＳ（２ｎ）は、隣接するＢＳ（２ｎ−１）に対して、通信プロトコルインタフェースの空きチャネルを使用し、タイミング信号を送信する。
【００５０】
図３に示すように、ＢＳ（２ｎ）からタイミング信号を受信したＢＳ（２ｎ−１）は、当該タイミング信号に基づいて自局の基準タイミングを生成するとともに、通信プロトコルインタフェースの空きチャネルを使用し、当該タイミング信号を隣接するＢＳ（２ｎ−２）に転送する。ＢＳ（２ｎ−１）からタイミング信号を受信したＢＳ（２ｎ−２）は、当該タイミング信号に基づいて自局の基準タイミングを生成するとともに、通信プロトコルインタフェースの空きチャネルを使用し、当該タイミング信号を隣接するＢＳ（２ｎ−３）に転送する。以下、同様に、当該タイミング信号をＢＳ（ｎ＋１）まで転送する。なお、図３におけるＢＳ（ｎ）からＢＳ（２ｎ−１）までの斜線囲みのタイミングは、ＢＳ（ｎ−１）からの基準タイミングが順次転送されたと仮定した場合のタイミングである。
【００５１】
以上の処理によって、ＧＰＳ基地局の設置条件を適切に満たしていれば、ＢＳ（ｎ）の受信異常によって非同期になった従属基地局であるＢＳ（ｎ＋１）〜ＢＳ（２ｎ−１）の基準タイミングは、ＢＳ（２ｎ）の基準タイミングに対して許容規格値内に収まるようになる。
【００５２】
さらに、センター局（制御部１６および送受信部１４）は、受信異常であるＢＳ（ｎ）に、ＢＳ（２ｎ）が生成した基準タイミングに基づいてタイミングを生成させ、生成後のタイミングを補正させたものを基準タイミングとする。具体的には、センター局は、ＢＳ（ｎ）から見てタイミング信号の送信方向（下流方向）に隣接して存在する従属基地局であるＢＳ（ｎ＋１）を特定し、特定したＢＳ（ｎ＋１）に対して、通信プロトコルインタフェースの空きチャネルを使用し、ＢＳ（ｎ）へタイミング信号を転送するよう命令する。また、センター局は、ＢＳ（ｎ）に対して、通信プロトコルインタフェースの空きチャネルを使用し、ＢＳ（ｎ＋１）からのタイミング信号と所定の補正値（Ｔｔ／２）とに基づいて基準タイミングを生成させるよう命令する。より詳細には、センター局は、ＢＳ（ｎ）に対して、ＢＳ（ｎ＋１）から送信されるタイミング信号からタイミングを生成させ、生成後のタイミングに対してＴｔ／２の時間を補正したタイミングを自局の基準タイミングとするよう命令する。
【００５３】
ＢＳ（ｎ＋１）からタイミング信号を受信したＢＳ（ｎ）は、当該タイミング信号に基づいてタイミングを生成し、生成後のタイミングに対してＴｔ／２の時間を補正したタイミングを自局の基準タイミングとする。なお、ＢＳ（ｎ）は、基地局ＢＳ（ｎ−１）にはタイミング信号は転送しない。
【００５４】
以上、第１の実施形態によれば、図２、図３に示すように、基地局ＢＳ（ｎ）〜ＢＳ（２ｎ−１）の基準タイミングは全て許容規格値内になる。
【００５５】
なお、第１の実施形態では、各処理の制御をセンター局が主導する態様を説明したが、基地局が主導する態様してもよい。例えば、ＧＰＳ受信異常を検知したＢＳ（ｎ）自身が、センター局に問い合わせて、ＢＳ（２ｎ）を特定してもよい。また例えば、ＢＳ（ｎ）自身が、センター局または自局が特定したＢＳ（２ｎ）に対して、通信プロトコルインタフェースの空きチャネルを使用し、自局のＩＤ番号ととともに、受信異常である旨を通知してもよい。
【００５６】
また、ＢＳ（ｎ）から上記通知を受信したＢＳ（２ｎ）は、ＢＳ（ｎ＋１）〜ＢＳ（２ｎ−１）に対して、通信プロトコルインタフェースの空きチャネルを使用し、従属先のＧＰＳ基地局を変更する旨、および、新たな従属先である自局のＩＤ番号を通知するとともに、基準タイミングを変更すべき旨を命令してもよい。
【００５７】
なお、ＢＳ（ｎ）から上記通知を受信したＢＳ（２ｎ）は、センター局から命令を受けた場合と同様、ＢＳ（ｎ＋１）〜ＢＳ（２ｎ−１）に対して、通信プロトコルインタフェースの空きチャネルを使用し、タイミング信号を送信する。また、ＢＳ（２ｎ）に上記通知をしたＢＳ（ｎ）は、センター局に上記通知をした場合と同様、ＢＳ（ｎ＋１）からタイミング信号を受信し、当該タイミング信号からタイミングを生成し、生成したタイミングに対してＴｔ／２の時間を補正したタイミングを自局の基準タイミングとする。
【００５８】
（第２の実施形態）
以下、本発明の第２の実施形態について、図面を参照しながら説明する。なお、第２の実施形態の構成は、概ね第１の実施形態と同様であるが、第２の実施形態においては、センター局１０の制御部１６は、送受信部１４によって一のＧＰＳ基地局からＧＰＳ同期信号を正常に受信できない旨の通知を受信した場合に、当該ＧＰＳ基地局に対し、ＧＰＳ同期信号に代えて、隣接する従属基地局から送信されるタイミング信号と所定の補正値（Ｔｔ／２）とに基づいて基準タイミングを生成させるよう制御する。なお、上述の隣接する従属基地局は、具体的には、上記一のＧＰＳ基地局から見てタイミング信号の送信方向とは逆方向（上流方向）に隣接して存在する従属基地局である。なお、制御部１６は、記憶部１２を参照して、上述の隣接する従属基地局を特定する。
【００５９】
以下、接続構成例を用いて、ＧＰＳ受信異常時において許容規格外になった基地局の基準タイミングを許容規格値内に補正する方法を説明する。図４は、本発明の第２の実施形態を説明するための基地局間接続の構成例である。図５は、本発明の第２の実施形態を説明するための基準タイミングの一例である。
【００６０】
ＧＰＳ基地局は、ＧＰＳ同期信号の受信状態を常に監視する。ＧＰＳ基地局は、ＧＰＳ受信異常を検知した場合、通信プロトコルインタフェースの空きチャネルを使用し、センター局に自局のＩＤ番号と共に、受信異常である旨（例えば、非同期状態である旨）を通知する。以下、図４に示す構成においてＢＳ（ｎ）がＧＰＳ受信異常になったものとして説明する。
【００６１】
ＢＳ（ｎ）から受信異常である旨を通知されたセンター局は、受信異常であるＢＳ（ｎ）に隣接する従属基地局であって、ＢＳ（ｎ）を従属先としていない、非同期になっていない従属基地局であるＢＳ（ｎ−１）に対して、通信プロトコルインタフェースの空きチャネルを使用し、タイミング信号をＢＳ（ｎ）へ送信するよう命令する。換言すれば、センター局は、ＢＳ（ｎ）から見てタイミング信号の送信方向とは逆方向（上流方向）に隣接して存在するＢＳ（ｎ−１）に対して、通信プロトコルインタフェースの空きチャネルを使用し、タイミング信号をＢＳ（ｎ）へ送信するよう命令する。
【００６２】
また、センター局は、受信異常であるＢＳ（ｎ）に対して、通信プロトコルインタフェースの空きチャネルを使用し、ＢＳ（ｎ−１）からのタイミング信号に基づいて基準タイミングを生成するよう命令する。具体的には、センター局は、ＢＳ（ｎ）に対して、ＢＳ（ｎ−１）からのタイミング信号と所定の補正値（Ｔｔ／２）とに基づいて基準タイミングを生成させるよう命令する。より詳細には、センター局は、ＢＳ（ｎ）に対して、ＢＳ（ｎ−１）から送信されるタイミング信号からタイミングを生成し、生成後のタイミングに対してＴｔ／２の時間を補正したタイミングを自局の基準タイミングとするよう命令する。
【００６３】
以上の処理によって、ＢＳ（ｎ）が生成する基準タイミングは、ＢＳ（１）が生成する基準タイミングに対して許容規格値内に収まるようになる。また、ＢＳ（ｎ＋１）〜ＢＳ（２ｎ−１）が生成する基準タイミングについても、許容規格値内に収まったＢＳ（ｎ）から送信されるタイミング信号に基づいて生成されるものであるため、許容規格値内に収まるようになる。
【００６４】
以上、第２の実施形態によれば、図４、図５に示すように、基地局ＢＳ（ｎ）〜ＢＳ（２ｎ−１）の基準タイミングは全て許容規格値内になる。なお、図５におけるＢＳ（ｎ）からＢＳ（２ｎ−１）までの斜線囲みのタイミングは、ＢＳ（ｎ−１）からの基準タイミングが順次転送されたと仮定した場合のタイミングである。
【００６５】
なお、第２の実施形態では、各処理の制御をセンター局が主導する態様を説明したが、基地局が主導する態様してもよい。例えば、ＧＰＳ受信異常を検知したＢＳ（ｎ）自身が、ＢＳ（ｎ−１）に対して、通信プロトコルインタフェースの空きチャネルを使用し、タイミング信号を自局（ＢＳ（ｎ））へ送信するよう命令してもよい。
【００６６】
以上、第１、第２の実施形態によれば、ＧＰＳ受信異常時に、タイミングの誤差を、自動的に、換言すれば短時間かつ低コストに、許容規格値（Ｔｔ／２）内に補正することができるようになる。従って、ＧＰＳ基地局がＧＰＳ衛星からＧＰＳ同期信号を正常に受信できなくなった場合であっても、当該ＧＰＳ基地局および当該ＧＰＳ基地局を従属先とする従属基地局の基準タイミングは、直ちに許容規格値内に補正されるため、基準タイミングが、許容規格値外になる時間は無視できる程度になる。また、上記補正は自動的になされるため、コストを要しない。
【００６７】
（第３の実施形態）
なお、上述した第１、第２の実施形態では、１つのＧＰＳ基地局がＧＰＳ受信異常になる場合を想定したが、第３の実施形態では、隣接する２つのＧＰＳ基地局がＧＰＳ受信異常になる場合を想定する。図６は、ＧＰＳの受信異常時の基地局間接続の構成例である。図７は、ＧＰＳの受信正常時の基準タイミングの一例である。図８は、ＧＰＳの受信異常時の基準タイミングの一例である。
【００６８】
例えば、図６において、ＢＳ（ｎ）およびＢＳ（２ｎ）において受信異常が生じている仮定する。ＢＳ（ｎ）およびＢＳ（２ｎ）において受信異常が生じていない場合には、図７に示すように、全ての基地局（ＢＳ（１）〜ＢＳ（２ｎ））における誤差は、Ｔｔ／２内に収まる。
【００６９】
一方、図６に示すように、ＢＳ（ｎ）においてＧＰＳ同期信号（ＧＰＳ２）が、また、ＢＳ（２ｎ）においてＧＰＳ同期信号（ＧＰＳ３）が受信できなくなった場合、図８に示すように、基地局（ＢＳ（ｎ）〜ＢＳ（３ｎ−１））における各誤差は、許容規格値外となる。
【００７０】
即ち、ＢＳ（ｎ）はＧＰＳ衛星からＧＰＳ同期信号（ＧＰＳ２）を受信できないため、隣接するＢＳ（ｎ−１）からタイミング信号を受信して、当該当該タイミング信号に基づいて自局の基準タイミングを生成することとなる。しかし、ＢＳ（ｎ−１）が生成する基準タイミングは、ＢＳ（１）が生成する基準タイミングに対して許容規格値内のぎりぎりのタイミングであるため、ＢＳ（ｎ）が生成する基準タイミングは許容規格値外になる。また、ＢＳ（ｎ＋１）〜ＢＳ（２ｎ−１）は、許容規格値外になっているＢＳ（ｎ）から送信されるタイミング信号に基づいて基準タイミングを生成するため、ＢＳ（ｎ＋１）〜ＢＳ（２ｎ−１）が生成する基準タイミングは許容規格値外になる。
【００７１】
同様に、ＢＳ（２ｎ）はＧＰＳ衛星からＧＰＳ同期信号（ＧＰＳ３）を受信できないため、隣接するＢＳ（２ｎ−１）からタイミング信号を受信して、当該タイミング信号に基づいて自局の基準タイミングを生成することとなる。しかし、ＢＳ（２ｎ−１）が生成する基準タイミングは、上述の如く、許容規格値外になっているため、ＢＳ（２ｎ）が生成する基準タイミングは許容規格値外になる。また、ＢＳ（２ｎ＋１）〜ＢＳ（３ｎ−１）は、許容規格値外になっているＢＳ（２ｎ）から送信されるタイミング信号に基づいて基準タイミングを生成するため、ＢＳ（２ｎ＋１）〜ＢＳ（３ｎ−１）が生成する基準タイミングは許容規格値外になる。
【００７２】
以下、本発明の第３の実施形態について、図面を参照しながら説明する。なお、第３の実施形態の構成は、概ね第１の実施形態と同様であるが、第３の実施形態においては、センター局１０の制御部１６は、送受信部１４によって隣接する２つのＧＰＳ基地局ＢＳからＧＰＳ同期信号を正常に受信できない旨の通知を受信した場合に、当該２つのＧＰＳ基地局のうちタイミング信号の送信方向とは逆方向（上流方向）側に存在する第１のＧＰＳ基地局に対し、ＧＰＳ同期信号に代えて、当該第１のＧＰＳ基地局から見て上記逆方向（上流方向）に隣接して存在する従属基地局から送信されるタイミング信号と所定の補正値（Ｔｔ／２）とに基づいて基準タイミングを生成させるよう制御する。なお、制御部１６は、記憶部１２を参照して、上述の隣接して存在する従属基地局を特定する。
【００７３】
さらに、第３の実施形態においては、制御部１６は、上記２つのＧＰＳ基地局のうちタイミング信号の送信方向（下流方向）側に存在する第２のＧＰＳ基地局に隣接して存在する従属基地局（第２のＧＰＳ基地局を従属先とする複数の従属基地局）に対し、当該第２のＧＰＳ基地局に代えて、更に送信方向（下流方向）側に存在するＧＰＳ基地局から送信されるタイミング信号に基づいて基準タイミングを生成させるように制御する。なお、制御部１６は、記憶部１２を参照して、上述の更に送信方向側に存在するＧＰＳ基地局を特定する。
【００７４】
さらに、第３の実施形態においては、上記第２のＧＰＳ基地局に対し、ＧＰＳ同期信号に代えて、当該第２のＧＰＳ基地局から見て送信方向（下流方向）に隣接して存在する従属基地局から送信されるタイミング信号と所定の補正値（Ｔｔ／２）とに基づいて基準タイミングを生成させるように制御する。なお、制御部１６は、記憶部１２を参照して、上述の送信方向側に存在するＧＰＳ基地局を特定する。
【００７５】
以下、接続構成例を用いて、ＧＰＳ受信異常時において許容規格外になった基地局の基準タイミングを許容規格値内に補正する方法を説明する。図９は、本発明の第３の実施形態を説明するための基地局間接続の構成例である。図１０は、本発明の第３の実施形態を説明するための基準タイミングの一例である。
【００７６】
ＧＰＳ基地局は、ＧＰＳ同期信号の受信状態を常に監視する。ＧＰＳ基地局は、ＧＰＳ受信異常を検知した場合、センター局に自局のＩＤ番号と共に、受信異常である旨（例えば、非同期状態である旨）を通知する。以下、図９に示す構成においてＢＳ（ｎ）およびＢＳ（２ｎ）がＧＰＳ受信異常になったものとして説明する。
【００７７】
ＢＳ（ｎ）から受信異常である旨を通知されたセンター局は、ＧＰＳ基地局の隣接関係においてＢＳ（ｎ）に隣接するＧＰＳ基地局であって、かつ、ＢＳ（ｎ）の受信異常によって非同期になった従属基地局であるＢＳ（ｎ＋１）〜ＢＳ（２ｎ−１）に隣接するＧＰＳ基地局を特定（選別）する。ＢＳ（ｎ）に隣接するＢＳ基地局はＢＳ（１）およびＢＳ（２ｎ）であるが、従属基地局であるＢＳ（ｎ＋１）〜ＢＳ（２ｎ−１）に隣接するＢＳ基地局はＢＳ（２ｎ）である。よって、センター局は、ＢＳ基地局はＢＳ（２ｎ）を特定する。しかし、ＢＳ（２ｎ）は、ＧＰＳ受信異常であるため、ＢＳ（ｎ＋１）〜ＢＳ（２ｎ−１）は、ＢＳ（２ｎ）からも正確なタイミング信号を受信できない。そこで、センター局は、ＢＳ（２ｎ）と反対側に隣接する従属基地局であるＢＳ（ｎ−１）を特定する。換言すれば、センター局は、ＢＳ（ｎ）から見てタイミング信号の送信方向とは逆方向（上流方向）側に隣接して存在する従属基地局であるＢＳ（ｎ−１）を特定する。センター局は、特定してＢＳ（ｎ−１）に対して、通信プロトコルインタフェースの空きチャネルを使用し、タイミング信号をＢＳ（ｎ）へ送信するように命令する。
【００７８】
また、センター局は、受信異常であるＢＳ（ｎ）に対して、通信プロトコルインタフェースの空きチャネルを使用し、ＢＳ（ｎ−１）からのタイミング信号と所定の補正値（Ｔｔ／２）とに基づいて基準タイミングを生成させるよう命令する。より詳細には、センター局は、ＢＳ（ｎ）に対して、ＢＳ（ｎ−１）から送信されるタイミング信号からタイミングを生成し、生成後のタイミングに対してＴｔ／２の時間を補正したタイミングを自局の基準タイミングとするよう命令する。
【００７９】
以上の処理によって、ＢＳ（ｎ）が生成する基準タイミングは、ＢＳ（１）の基準タイミングに対して許容規格値内に収まるようになる。また、ＢＳ（ｎ＋１）〜ＢＳ（２ｎ−１）が生成する基準タイミングについても、許容規格値内に収まったＢＳ（ｎ）から送信されるタイミング信号に基づいて生成されるものであるため、許容規格値内に収まるようになる。
【００８０】
また、ＢＳ（２ｎ）から受信異常である旨を通知されたセンター局は、ＧＰＳ基地局の隣接関係においてＢＳ（２ｎ）に隣接するＧＰＳ基地局であって、かつ、ＢＳ（２ｎ）の受信異常によって非同期になった従属基地局であるＢＳ（２ｎ＋１）〜ＢＳ（３ｎ−１）に隣接するＧＰＳ基地局を特定（選別）する。ＢＳ（２ｎ）に隣接するＢＳ基地局はＢＳ（ｎ）およびＢＳ（３ｎ）であるが、従属基地局であるＢＳ（２ｎ＋１）〜ＢＳ（３ｎ−１）に隣接するＢＳ基地局はＢＳ（３ｎ）である。よって、センター局は、ＢＳ基地局はＢＳ（３ｎ）を特定する。換言すれば、センター局は、ＢＳ（２ｎ）から見てタイミング信号の送信方向（下流方向）側に最初に存在するＧＰＳ基地局であるＢＳ（３ｎ）を特定する。
【００８１】
また、センター局は、非同期になっているＢＳ（ｎ＋１）〜ＢＳ（２ｎ−１）に対して、通信プロトコルインタフェースの空きチャネルを使用し、従属先のＧＰＳ基地局を変更する旨、および、新たな従属先となるＧＰＳ基地局（具体的には、ＢＳ（３ｎ））のＩＤ番号を通知するとともに、基準タイミングを変更すべき旨を命令する。
【００８２】
また、センター局は、特定したＢＳ（３ｎ）に対して、通信プロトコルインタフェースの空きチャネルを使用し、新たに従属させる従属基地局（具体的には、ＢＳ（２ｎ＋１）〜ＢＳ（３ｎ−１））のＩＤ番号を通知するとともに、新たに従属させる従属基地局へタイミング信号を送信するよう命令する。
【００８３】
ＢＳ（２ｎ＋１）〜ＢＳ（３ｎ−１）は、センター局からの上記命令に従って、従属先のＧＰＳ基地局のＩＤを変更する。一方、センター局から命令を受けたＢＳ（３ｎ）は、隣接するＢＳ（３ｎ−１）に対して、通信プロトコルインタフェースの空きチャネルを使用し、タイミング信号を送信する。
【００８４】
ＢＳ（３ｎ）からタイミング信号を受信したＢＳ（３ｎ−１）は、当該タイミング信号に基づいて自局の基準タイミングを生成するとともに、通信プロトコルインタフェースの空きチャネルを使用し、当該タイミング信号を隣接するＢＳ（３ｎ−２）に転送する。ＢＳ（３ｎ−１）からタイミング信号を受信したＢＳ（３ｎ−２）は、当該タイミング信号に基づいて自局の基準タイミングを生成するとともに、通信プロトコルインタフェースの空きチャネルを使用し、当該タイミング信号を隣接するＢＳ（３ｎ−３）に転送する。以下、同様に、当該タイミング信号をＢＳ（２ｎ＋１）まで転送する。
【００８５】
以上の処理によって、ＢＳ（２ｎ＋１）〜ＢＳ（３ｎ−１）が生成する基準タイミングは、ＢＳ（３ｎ）の基準タイミングに対して許容規格値内に収まるようになる。なお、図１０におけるＢＳ（ｎ）からＢＳ（３ｎ−１）までの斜線囲みのタイミングは、ＢＳ（ｎ−１）からの基準タイミングが順次転送されたと仮定した場合のタイミングである。
【００８６】
また、センター局は、受信異常であるＢＳ（２ｎ）に、ＢＳ（３ｎ）が生成した基準タイミングに基づいてタイミングを生成させ、生成後のタイミングを補正して基準タイミングを生成させる。具体的には、センター局は、ＢＳ（２ｎ）から見てタイミング信号の送信方向（下流方向）に隣接して存在する従属基地局であるＢＳ（２ｎ＋１）を特定し、特定したＢＳ（２ｎ＋１）に対して、通信プロトコルインタフェースの空きチャネルを使用し、ＢＳ（２ｎ）へタイミング信号を転送するよう命令する。また、センター局は、ＢＳ（２ｎ）に対して、通信プロトコルインタフェースの空きチャネルを使用し、ＢＳ（２ｎ＋１）からのタイミング信号と所定の補正値（Ｔｔ／２）とに基づいて基準タイミングを生成させるよう命令する。より詳細には、センター局は、ＢＳ（２ｎ）に対して、ＢＳ（２ｎ＋１）から送信されるタイミング信号からタイミングを生成し、生成後のタイミングに対してＴｔ／２の時間を補正したタイミングを自局の基準タイミングとするよう命令する。
【００８７】
ＢＳ（２ｎ＋１）からタイミング信号を受信したＢＳ（２ｎ）は、当該タイミング信号からタイミングを生成し、生成後のタイミングに対してＴｔ／２の時間を補正したタイミングを自局の基準タイミングとする。なお、ＢＳ（２ｎ）は、基地局ＢＳ（２ｎ−１）にはタイミング信号は転送しない。
【００８８】
以上、第３の実施形態によれば、図９、図１０に示すように、基地局ＢＳ（ｎ）〜ＢＳ（３ｎ−１）の基準タイミングは全て許容規格値内になる。つまり、第３の実施形態によれば、隣接する２つのＧＰＳ基地局におけるＧＰＳ受信異常時であっても、タイミングの誤差を、自動的に、換言すれば短時間かつ低コストに、許容規格値内に補正することができるようになる。
【００８９】
なお、第３の実施形態では、各処理の制御をセンター局が主導する態様を説明したが、基地局が主導する態様してもよい。例えば、ＧＰＳ受信異常を検知したＢＳ（ｎ）自身が、センター局に問い合わせて、ＧＰＳ基地局の並びに着目した場合においてＢＳ（ｎ）に隣接するＧＰＳ基地局であって、かつ、ＢＳ（ｎ）の受信異常によって非同期になった従属基地局であるＢＳ（ｎ＋１）〜ＢＳ（２ｎ−１）に隣接するＧＰＳ基地局を特定（選別）してもよい。
【００９０】
上記ＧＰＳ基地局を特定したＢＳ（ｎ）は、特定したＧＰＳ基地局がＧＰＳ受信異常であるか否かを判断する。具体的には、ＢＳ（ｎ）は、特定したＧＰＳ基地局に対して、通信プロトコルインタフェースの空きチャネルを使用し、ＧＰＳ受信異常であるか否かを問い合わせることによって、特定したＧＰＳ基地局がＧＰＳ受信異常であるか否かを判断する。例えば、ＢＳ（ｎ）がＢＳ（２ｎ）を特定した場合、ＢＳ（２ｎ）に対して、上記問い合わせ情報として、自局のＩＤ番号ととともに受信異常である旨を通知してもよい。当該通知（問い合わせ情報）を受信したＢＳ（２ｎ）は、ＢＳ（ｎ）に対して、通信プロトコルインタフェースの空きチャネルを使用し、自局（ＢＳ（２ｎ））がＧＰＳ受信異常である旨を通知（応答）する。
【００９１】
ＢＳ（ｎ）は、特定したＧＰＳ基地局がＧＰＳ受信異常であった場合、ＧＰＳ受信異常であるＧＰＳ基地局（ＢＳ（２ｎ））の側の反対側に隣接する従属基地局（ＢＳ（２ｎ−１））に対して、通信プロトコルインタフェースの空きチャネルを使用し、タイミング信号を自局（ＢＳ（ｎ））へ送信するように命令してもよい。
【００９２】
なお、ＢＳ（ｎ−１）から上記命令をしたＢＳ（ｎ）は、センター局から上記命令を受けた場合と同様、ＢＳ（ｎ−１）からタイミング信号を受信し、当該タイミング信号に基づいてタイミングを生成し、生成後のタイミングに対してＴｔ／２の時間を補正したタイミングを自局の基準タイミングとする。
【００９３】
また例えば、ＧＰＳ受信異常を検知したＢＳ（２ｎ）自身が、センター局に問い合わせて、ＢＳ（３ｎ）を特定してもよい。また例えば、ＢＳ（２ｎ）自身が、センター局または自局が特定したＢＳ（３ｎ）に対して、通信プロトコルインタフェースの空きチャネルを使用し、自局のＩＤ番号ととともに、受信異常である旨を通知してもよい。
【００９４】
ＢＳ（２ｎ）から上記通知を受信したＢＳ（３ｎ）は、ＢＳ（２ｎ＋１）〜ＢＳ（３ｎ−１）に対して、通信プロトコルインタフェースの空きチャネルを使用し、従属先のＧＰＳ基地局を変更する旨、および、新たな従属先である自局のＩＤ番号を通知するとともに、基準タイミングを変更すべき旨を命令する。
【００９５】
なお、ＢＳ（２ｎ）から上記通知を受信したＢＳ（３ｎ）は、センター局から命令を受けた場合と同様、ＢＳ（２ｎ＋１）〜ＢＳ（３ｎ−１）に対して、通信プロトコルインタフェースの空きチャネルを使用し、タイミング信号を送信する。また、ＢＳ（３ｎ）に上記通知をしたＢＳ（２ｎ）は、センター局に上記通知をした場合と同様、ＢＳ（２ｎ＋１）からタイミング信号を受信し、当該タイミング信号に基づいてタイミングを生成し、生成後のタイミングに対してＴｔ／２の時間を補正したタイミングを自局の基準タイミングとする。
【００９６】
以上、第１、第２、第３の各実施形態によれば、ＧＰＳ受信異常時において、短時間かつ低コストに、同期制御に係るタイミングの誤差を許容規格値内に補正することができるようになる。
【符号の説明】
【００９７】
１０…基地局制御装置
１２…記憶部
１４…送受信部（受信部）
１６…制御部
２２…送受信部
２４…基準タイミング生成部
２６…異常検出部
【図１】
2011182226.tif 000003
【図２】
2011182226.tif 000004
【図３】
2011182226.tif 000005
【図４】
2011182226.tif 000006
【図５】
2011182226.tif 000007
【図６】
2011182226.tif 000008
【図７】
2011182226.tif 000009
【図８】
2011182226.tif 000010
【図９】
2011182226.tif 000011
【図１０】
2011182226.tif 000012
【図１１】
2011182226.tif 000013
【図１２】
2011182226.tif 000014
【図１３】
2011182226.tif 000015
【図１４】
2011182226.tif 000016
【図１５】
2011182226.tif 000017
【図１６】
2011182226.tif 000018